(57)【要約】【課題】  キャビネットの扉の開閉動作を利用してキャビネット内を換気できて、キャビネット自体の構成の簡素化と収納用の空間の有効利用が図れるキャビネットを提供する。【解決手段】  前面開口部に扉が開閉可能に設けられ、内部に略密閉された収納用の空間が形成されたキャビネットにおいて、キャビネットに、空間の内外に連通する通気孔と、扉を前面開口部に対して閉めた際に、その圧力によって空間内の空気の通気孔から外部への排出を促進する換気促進手段と、を設けたことを特徴とする。前記換気促進手段は、空間内の空気を通気孔に誘導し得る整流板で構成されたり、あるいは引き出しに設けた弁で構成される。【選択図】  図２
2006191996.tif 000002
【特許請求の範囲】
【請求項１】
前面開口部に扉が開閉可能に設けられ、内部に略密閉された収納用の空間が形成されたキャビネットにおいて、
前記キャビネットに前記空間の内外に連通する通気孔を設け、前記扉を前面開口部に対して閉めた際に、その圧力によって空間内の空気を前記通気孔から外部に排出することを特徴とするキャビネット。
【請求項２】
前面開口部に扉が開閉可能に設けられ、内部に略密閉された収納用の空間が形成されたキャビネットにおいて、
前記キャビネットに、前記空間の内外に連通する通気孔と、前記扉を前面開口部に対して閉めた際に、その圧力によって空間内の空気の前記通気孔から外部への排出を促進する換気促進手段と、を設けたことを特徴とするキャビネット。
【請求項３】
前記換気促進手段は、空間内の空気を前記通気孔に誘導し得る整流板であることを特徴とする請求項２に記載のキャビネット。
【請求項４】
前記換気促進手段は、引き出しに設けた弁であることを特徴とする請求項２に記載のキャビネット。
【請求項５】
前記キャビネットが支柱を組み合わせた格子状に形成され、その所定の格子状の枠内に前記扉と収納空間が設けられていることを特徴とする請求項１ないし４のいずれかに記載のキャビネット。
【発明の詳細な説明】
【技術分野】
【０００１】
本発明は、キッチンや洗面化粧台、各種ストッカー等のように、前面開口部に開閉扉を有し内部に収納用の空間が形成されたキャビネットに関する。
【背景技術】
【０００２】
従来、この種のキャビネットとしては、例えば特許文献１及び特許文献２に開示されている。このうち、特許文献１に開示のシステムキッチンのキャビネットは、複数の引き出しが設けられると共に、足下収納引き出しに、乾燥物を出し入れ可能に収納しかつ気密性を有する除湿室を形成するケーシングと、このケーシングに取り付けられ除湿室の湿度を調整する除湿手段からなる除湿ユニットを取り付けたものである。また、特許文献２に開示の乾物保存用のキャビネットは、キャビネット内部の空気を外部に排気する排気手段と、外部の空気をキャビネット内部に取り入れる吸気口に装着されて該吸気口から流入する空気を加熱する加熱手段とを設けるようにしたものである。
【特許文献１】特開２００３−２９９５３１号公報
【特許文献２】実開平５−１７４８９号公報
【発明の開示】
【発明が解決しようとする課題】
【０００３】
しかしながら、このようなキャビネットにおいては、キャビネット内部の除湿や換気を、電源によって作動する除湿機や加熱機等を使用して行うため、キャビネット内部に電源配線が必要になって、配線構造やキャビネット自体の構造が複雑化すると共に、キャビネット内部に除湿機等の設置スペースが必要となり、キャビネット内部の空間を収納空間として効率的に使用することが難しいという問題点を有している。
【０００４】
本発明は、このような事情に鑑みてなされたもので、その目的は、キャビネットの扉の開閉動作を利用してキャビネット内を換気できて、キャビネット自体の構成の簡素化と収納用の空間の有効利用が図れるキャビネットを提供することにある。
【課題を解決するための手段】
【０００５】
かかる目的を達成すべく、本発明のうち請求項１に記載の発明は、前面開口部に板状の扉が開閉可能に設けられ、内部に略密閉された収納用の空間が形成されたキャビネットにおいて、前記キャビネットに前記空間の内外に連通する通気孔を設け、前記扉を前面開口部に対して閉めた際に、その圧力によって空間内の空気を前記通気孔から外部に排出することを特徴とする。
【０００６】
また、請求項２に記載の発明は、前面開口部に扉が開閉可能に設けられ、内部に略密閉された収納用の空間が形成されたキャビネットにおいて、前記キャビネットに、前記空間の内外に連通する通気孔と、前記扉を前面開口部に対して閉めた際に、その圧力によって空間内の空気の前記通気孔から外部への排出を促進する換気促進手段と、を設けたことを特徴とする。
【０００７】
そして、前記換気促進手段は、請求項３に記載の発明のように、空間内の空気を前記通気孔に誘導し得る整流板であったり、請求項４に記載の発明のように、引き出しに設けた弁であることが好ましい。
【０００８】
また、請求項５に記載の発明は、前記キャビネットが支柱を組み合わせた格子状に形成され、その所定の格子状の枠内に前記扉と収納空間が設けられていることを特徴とする。
【発明の効果】
【０００９】
本発明の請求項１または２に記載の発明によれば、キャビネットの所定位置に収納用の空間の内外に連通する通気孔を設け、扉を前面開口部に対して閉めた際に、その圧力によって空間内の空気を通気孔から外部に排出するため、専用の換気装置等を使用することなくキャビネット内の空間の換気を扉の閉止操作で行うことができ、キャビネット自体の構成を簡素化できると共に、キャビネットの空間をそのまま収納用の空間として使用できて、その有効利用を図ることができる。
【００１０】
また、請求項３に記載の発明によれば、請求項２に記載の発明の効果に加え、換気促進手段が空間内の空気を通気孔に誘導し得る整流板であるため、扉の閉止操作によって得られる空気を、キャビネット内の整流板により通気孔方向に良好に流通させることができて、キャビネット内の換気効率に一層高めることができる。
【００１１】
また、請求項４に記載の発明によれば、請求項２に記載の発明の効果に加え、換気促進手段が引き出しに設けた弁であるため、キャビネットの前面開口部に対して引き出しを閉止操作するだけで、通気孔から内部の空気を排出できて、キャビネット内の換気効率を一層高めることができる。
【００１２】
また、請求項５に記載の発明によれば、請求項１ないし４に記載の発明の効果に加え、キャビネットが支柱を組み合わせた格子状に形成され、その所定の格子状の枠内に扉と空間が設けられるため、例えば移動可能なキャビネットを構成できると共に、その所定位置に扉の閉止操作によって換気される収納用の空間を簡単に設置することができる。
【発明を実施するための最良の形態】
【００１３】
以下、本発明の実施の形態を図面に基づいて詳細に説明する。
図１〜図４は、本発明に係わるキャビネットを使用したシステムキッチンの一実施形態を示し、図１がその正面図、図２がそのシンクキャビネットの縦断面図、図３が調理台キャビネットの縦断面図である。
【００１４】
図１において、システムキッチン１は、上面にシンク１０が配置されその下部に上下の引き出し５、６が配設されたシンクキャビネット２と、このシンクキャビネット２の左側に配置され上下の引き出し７、８が配設された調理台キャビネット３と、この調理台キャビネット３の左側に配置されコンロ１１と引き出し９が配設されたコンロキャビネット４等を備えている。そして、幅方向に連設された各キャビネット２〜４の上面には、例えば１枚物で形成されたカウンター１２が配置されている。
【００１５】
前記シンクキャビネット２は、図２に示すように、左右の側板（図示せず）、背面板２ａ、前面上部に配置された前板２ｂ及び鏡板２ｃ、底板２ｄ及び高さ方向の後方所定高さ位置に配置された中間底板２ｅ等で構成されている。そして、このシンクキャビネット２の前記鏡板２ｃの下部には、所定幅の長尺状のパンチング板１３が固定されており、このパンチング板１３には多数の通気孔１３ａが形成されている。
【００１６】
また、シンクキャビネット２の内部の空間１４後方には、シンク１０の底面１０ａの排水装置１５に接続された排水管やシンク１０の後方上面の水栓１６（図１参照）に接続された給水管等の各種配管（以下、これらを給排水管１７という）が、例えば上下方向に指向して配置されている。この給排水管１７は、その前方の空間１４内に配置され例えば上下方向に三分割された換気促進手段としての整流板１８で覆われることにより、隠蔽されて前方から視認されず、かつ整流板１８の前面によって後述するように空間１４内の空気の流れが促進されるようになっている。
【００１７】
また、シンクキャビネット２の前記下部の引き出し６は、扉６ａと、この扉６ａの前面下部で扉６ａより奥側に配置されその外周端部を除く略全域に多数の通気孔２０が穿設されたパンチング板からなる蹴込み板６ｂと、扉６ａの下部裏面に取り付けられパンチング板等からなる底板、背板及び側板等で箱状に形成された通気性を有する収納部６ｃ等で形成されている。そして、収納部６ｃの側板外面に設けたガイド（図示せず）を、シンクキャビネット２の側板内面に設けたガイドレール（図示せず）に係合させることにより、引き出し６が空間１４内に出し入れ可能に配設されている。
【００１８】
また、前記上部の引き出し５は、表面が鏡面仕上げされた扉５ａと、パンチング板等で形成された通気性を有する収納部５ｃ等で形成され、下部の引き出し６と同様に、シンクキャビネット２内の空間１４に出し入れ可能に配設されている。そして、上下の引き出し５、６をシンクキャビネット２内の後方側に共に押し込んだ際に、両扉５ａ、６ａによって、シンクキャビネット２の前面開口部が閉塞されて内部に略密閉された収納用の前記空間１４が形成されるようになっている。なお、上部の引き出し５の収納部５ｃ内には、二点鎖線で示すように、金属棒を溶接することにより形成された網籠２１が、必要に応じて出し入れ可能に配置されるようになっており、この点は、各引き出し７〜９についても同様である。
【００１９】
前記調理台キャビネット３は、図３に示すように、左右の側板（図示せず）、背面板３ａ、底板３ｂ、前桁３ｃ等で構成され、この調理台キャビネット３の上面開口部には前記カウンター１２が配置されると共に、前面開口部には、扉７ａと収納部７ｃを有する上部の引き出し７と、扉８ａと蹴込み板８ｂ及び収納部８ｃを有する下部の引き出し８とが引き出し可能に配設されている。そして、この調理台キャビネット３の上部の引き出し７の扉７ａ下端部もしくは下部の引き出し８の扉８ａ上端部には、シンクキャビネット２と同様の多数の通気孔１３ａを有するパンチング板１３が固定されると共に、下部の引き出し８の蹴込み板８ｂもパンチング板で形成されて多数の通気孔２０が形成されている。
【００２０】
また、調理台キャビネット３内の略密閉された空間１４の後部には、カウンター１２の裏面と底板３ｂの後端上面との間に緩やかな凹面を有する換気促進手段としての整流板１９が配置されている。なお、この調理台キャビネット３の場合には、前記パンチング板１３を、図１の二点鎖線で示すように、キャビネット３の前桁３ｃかあるいは上部の引き出し７の扉７ａ上端部に固定して、調理台キャビネット３の最上部に通気孔１３ａを設ける構成としても良い。
【００２１】
また、前記コンロキャビネット４も、調理台キャビネット３と略同様に、図１に示すように、前板４ａ、図示しない左右の側板、背面板、底板等で構成され、前板４ａ下部の前面開口部に扉９ａと蹴込み板９ｂ等を有する引き出し９が引き出し可能に配設されている。そして、前板４ａの下端部（もしくは引き出し９の扉９ａ上端部）には、多数の通気孔１３ａが形成されたパンチング板１３が固定されると共に、引き出し９の蹴込み板９ｂもパンチング板で形成されて多数の通気孔２０が形成されている。また、コンロキャビネット４内の空間１４（図示せず）後方にも、調理台キャビネット３と略同様の換気促進手段としての整流板１９（図示せず）が配置されている。
【００２２】
そして、各キャビネット２〜４に設けられるパンチング板１３は、図１に示すように、その幅寸法が同一に設定されると共に、各キャビネット２〜４に対する高さが同一位置に設定されている。これにより、各キャビネット２〜４からなるシステムキッチン１を正面視した際に、各引き出し６、８、９の蹴込み板６ｂ、８ｂ、９ｂのパンチング板と、各キャビネット２〜４の引き出し５、８、９上端部のパンチング板１３とにより、横方向に上下２列のパンチング板が平行状態で位置していることになる。
【００２３】
次に、このように構成されたシステムキッチン１の使用方法の一例について説明する。先ず、シンクキャビネット２の場合は、図２に示すように、下部の引き出し６を閉じた状態で、上部の引き出し５の収納部５ｃ内にセットされている網籠２１の中に例えば鍋、フライパン、ボール等の調理器具を収納する。そして、この状態で上部の引き出し５を矢印イの如くシンクキャビネット２内に押し込むと、該引き出し５の扉５ａの後方への移動による圧力で、空間１４内の空気が後方の整流板１８側に押されると共に、この整流板１８の前面に沿って矢印ハ、ニの如く上方もしくは下方に流れて、パンチング板１３の通気孔１３ａもしくは引き出し６の蹴込み板６ｂの通気孔２０から矢印ホ、ヘの如くシンクキャビネット２外に排出される。
【００２４】
これにより、シンクキャビネット２内の湿った空気が、上部の引き出し５の押し込み操作、つまり扉５ａの閉止操作で排出されて空間１４内が換気され、この換気によって、シンクキャビネット２内のじめじめ感等を解消できると共に、通気性を有する網籠２１内の調理器具に清潔感を維持できることになる。なお、シンクキャビネット２内の空気の換気量は、引き出し５、６の扉５ａ、６ａの面積や扉５ａ、６ａの閉止速度に略比例することから、予め実験等によって扉５ａ、６ａの面積等を設定することが好ましい。
【００２５】
また一方、上部の引き出し５を閉じた状態で下部引き出し６を閉じた際にも、上部の引き出し５と同様に、蹴込み板６ｂの通気孔２０やパンチング板１３の通気孔１３ａから内部の湿った空気が排出されて、シンクキャビネット２内が換気されることになる。この時、下部の引き出し６の蹴込み板３１自体がパンチング板による通気孔２０を有することから、引き出し６を閉じた際の換気効率を向上させるために、蹴込み板３１の通気孔２０を扉６ａの閉止操作に連動させて開閉させる、すなわち、扉６ａの閉止操作を検知して通気孔２０を閉止状態とする開閉機構を設けることが好ましい。
【００２６】
この開閉機構の具体例としては、図示はしないが、例えば通気孔２０にスライド式の開閉弁を設け、扉６ａの把手に手を振れたり把手を手で握ってこれが電気的に検知された際（あるいは引き出し扉６の後方への移動を検知した際）に、開閉弁に連結されたモータを正転させて開閉弁を閉じて通気孔２０を閉塞し、把手から手を離した際（あるいは引き出し６の停止を検知した際）に、モータを逆転させて開閉弁を開いて通気孔２０を開放するように構成することができる。また、他の例としては、例えば引き出し６が閉止操作されて、引き出し６の収納箱６ｃの背板裏面等に設けた係合部と整流板１８に設けた係合部とが係合した際に通気孔２０を開放させ、それ以外の時は通気孔２０を閉塞させる構成とする等、引き出し６の閉止操作に応じて通気孔２０を電気的もしくは機械的に開閉させる適宜の構成を採用することができる。
【００２７】
一方、調理台キャビネット３やコンロキャビネット４の場合も、図３に示すように、例えば上部の引き出し７を閉じた状態で、下部の引き出し８（コンロキャビネット４の場合は引き出し９）を引き出した状態から矢印イの如く閉止操作すると、扉８ａの移動により調理台キャビネット３の空間１４内に矢印ハ、ニの如く空気が流れて、上下の通気孔１３ａ、２０から矢印ホ、ヘの如く外部に排出されて、該キャビネット３内が換気されることになる。この調理台キャビネット３の場合は、空間１４の後方側に換気促進手段としての曲面状の整流板１９が設けられていることから、この整流板１９の前面で引き出し７、８の閉止操作による空気を上方や下方に良好に流して、換気を促進できることになる。
【００２８】
なお、以上の説明においては、各キャビネット２〜４が蹴込み板６ｂ、８ｂ、９ｂを有する形態に形成したが、本発明のキャビネットはこれに限定されず、例えば各キャビネット２〜４を台輪上に載置する形態のキャビネットにも適用でき、この場合は、台輪の前板をパンチング板で形成して、このパンチング板の多数の通気孔２０と前記通気孔１３ａから内部の湿った空気を外部に排出するように構成すれば良い。
【００２９】
このように、上記実施形態のシステムチッキン１にあっては、キャビネット２〜４の各引き出し５、８、９の扉５ａ、８ａ、９ａ上端部や蹴込み板５ｂ、８ｂ、９ｂにキャビネット２〜４の内外にそれぞれ連通する通気孔１３ａ、２０を設け、各引き出し５〜９の扉５ａ〜９ａを前面開口部に対して押し込んだ（閉止操作した）際に、その圧力によって空間１４内の空気を通気孔１３ａ、２０から外部に排出するため、専用の換気装置等を使用することなくキャビネット２〜４内の換気を扉５ａ〜９ａの閉止操作で行うことができる。その結果、電源配線等が不要となりキャビネット２〜４自体の構成を簡素にできると共に、例えばシンクキャビネット２内の空間１４を、洗剤類等に限らず調理器具や食品等の収納空間として有効利用することができる。
【００３０】
また、扉５ａ〜９ａが、裏面側に通気性を有する収納部が設けられた引き出し５〜９の前面に設けられた扉で形成されるため、キャビネット２〜４の前面開口部に対して引き出し５〜９を押し込み操作するだけで、キャビネット２〜４内を簡単に換気することができ、操作性に優れたシステムキッチン１を得ることができる。さらに、キャビネット２〜４の空間１４の後方内部に換気促進手段としての整流板１８、１９が配置されているため、空気を各キャビネット２〜４内の整流板１８、１９により通気孔１３ａ、２０方向に良好に流通させることができて、各キャビネット２〜４内の換気効率を一層高めることができる。
【００３１】
また、シンクキャビネット２内のシンク１０の排水装置１５に接続された給排水管１７の前面側が整流板１８で覆われるため、引き出し５、６を引き出した際に、シンクキャビネット２内に給排水管１７等が露出して使用者に視認されることがなくなり、シンクキャビネット２内に清潔感のあるイメージを得ることができると共に、整流板１８をカバーとしても有効利用することができる。また、各キャビネット２〜４の上下の通気孔１３ａ、２０がパンチング板により形成されているため、通気孔１３ａ、２０の形成を簡単に行うことができると共に、各キャビネット２〜４の上下のパンチング板が横方向に一直線上に配置されているため、これらのパンチング板に意匠的なアクセントが得られて、システムキッチン１のデザイン性を高めることもできる。
【００３２】
図４と図５及び図６は、本発明に係わるキャビネットのそれぞれ他の実施形態を示している。以下、上記実施形態と同一部位には、同一符号を付して説明する。先ず、図４に示すキャビネットの特徴は、例えば前記シンクキャビネット２において、引き出し５の収納部５ｃの背板後方と例えば前記整流板１８との間に蛇腹２２で形成された送風空間２３を形成し、この送風空間２３の前端側を弁２４ａ（換気促進手段）により引き出し５の通気性（もしくは非通気性）の収納部５ｃ内に連通させ、送風空間２３の後端側を弁２４ｂ（換気促進手段）を介してシンクキャビネット２の前記空間１４内の後方所定位置に連通させた点にある。
【００３３】
そして、図４（ａ）に示す引き出し５を引き出した状態においては、蛇腹２２が延びてシンクキャビネット２外の空気が矢印トの如く引き出し５の収納部５ｃ及び弁２４ａを介して送風空間２３内に吸引される状態となり、この状態で引き出し５を後方側に押し込むと、図４（ｂ）に示すように蛇腹２２が圧縮されて送風空間２３内の空気が弁２４ｂを介してシンクキャビネット２の空間１４内に矢印チの如く排出されることになる。この送風空間２３から排出される空気により、シンクキャビネット２の空間１４内の湿った空気が通気孔１３ａ等からシンクキャビネット２外に排出されて、該キャビネット２内が換気されることになる。
【００３４】
また、図５及び図６に示すキャビネット２５の特徴は、キャビネット２５自体をアルミやステンレス等の金属パイプからなる支柱２５ａを溶接等して格子状に形成した点にある。そして、このキャビネット２５の一端側にシンク１０を配置すると共に、キャビネット２５の他端側に、背面板２６ａ、底板２６ｂ、側板２６ｃ及びカウンター１２で略密閉された収納用の空間２６を形成し、この空間２６内に引き出し２７を引き出し可能に配設する。この時、引き出し２７は扉２７ａと通気性を有する収納部２７ｂとで形成し、扉２７ａの上端部に通気孔１３ａを有するパンチング板１３を配置すると共に、前記底板２６ｂを通気孔２０（図示せず）を有するパンチング板で形成する。
【００３５】
この実施形態のキャビネット２５によれば、引き出し２７をキャビネット２５の空間２６内に矢印イの如く押し込むことにより、空間２６内の湿った空気がパンチング板１３の通気孔１３ａや底板２６ｂの通気孔２０から矢印ホ、ヘの如く外部に排出されて空間２６内が換気され、上記実施形態と同様の作用効果を得ることができる。また、空間２６がその底板２６ｂによってキッチンの床面上に連通しているため、床面上の暖かい空気が上昇して底板２６ｂから空間２６内に入り、パンチング板１３の通気孔１３ａから空間２６外に排出される、いわゆる自然換気が可能になると共に、キャビネット２５が支柱２５ａにより格子状に形成されているため、キャビネット２５自体を軽量化してその移動や設置が簡単に行えたり、斬新なデザインのキャビネット２５が得られるという作用効果を奏することもできる。
【００３６】
この実施形態の場合には、空間２６の背面板２６ａの前面を平滑面とすることで換気促進手段を構成することができるが、背面板２６ａの直前に換気促進手段としての前記整流板１９等を別途設けるようにしても良い。また、この実施形態の場合は、図５及び図６の二点鎖線ａで示すように、扉２７ａの下端部に通気孔２８ａを有するパンチング板２８を配置し、底板２６ｂを板体で形成することにより、引き出し２７の押し込み操作により、扉２７ａの上下のパンチング板１３、２８の通気孔１３ａ、２８ａから内部の空気を排出するように構成することもできる。
【００３７】
ところで、上記各実施形態においては、各引き出しの扉を平板状に形成したが、例えば図２の二点鎖線で示すように、扉５ａの裏面の外周端部に、後方側に所定寸法突出した板体を固定することで囲い２９を設けるようにしても良い。このように構成すれば、扉５ａを閉止操作した際に、扉５ａ裏面の囲い２９内の空気を、その側方への逃げを防止した状態で後方側に効率的に押し込むことができて空間１４内の換気効率を一層高めることができる。
【００３８】
また、上記各実施形態においては、各引き出しの前面に設けられる扉の閉止操作によって各キャビネット２〜４内を換気したが、本発明はこれに限定されず、例えば各キャビネット２〜４の前面開口部に開閉可能に設けられた片開きや両開きの扉であっても適用できる。この場合のパンチング板は、扉の開放端部に対して反対側となるヒンジ側に配置することが好ましい。このように、本発明に係わるキャビネットは、上記各実施形態のそれぞれに限定されるものではなく、例えば図４に示す構造を調理台キャビネットやコンロキャビネットの各引き出しに適用する等、引き出しの数や扉の大きさ等に応じて効率的な換気作用が得られるように、各実施形態の全部や一部を適宜に組み合わせることができる。
【産業上の利用可能性】
【００３９】
本発明は、システムキッチンの各種キャビネットに限らず、例えばキッチンの単体キャビネットにも適用できるし、あるいは下部に収納用の空間を有する洗面化粧台、あるいは各種物品を収納・保管するストッカーや収納庫等のキャビネットにも適用できる。
【図面の簡単な説明】
【００４０】
【図１】本発明に係わるキャビネットを使用したシステムキッチンの一実施形態を示す正面図
【図２】同そのシンクキャビネットの縦断面図
【図３】同調理台キャビネットの縦断面図
【図４】本発明に係わるキャビネットの他の実施形態を示す構成図
【図５】本発明に係わるキャビネットのさらに他の実施形態を示す斜視図
【図６】同その縦断面図
【符号の説明】
【００４１】
１・・・システムキッチン、２・・・シンクキャビネット、３・・・調理台キャビネット、４・・・コンロキャビネット、５〜９・・・引き出し、５ａ〜９ａ・・・扉、６ｂ、８ｂ、９ｂ・・・蹴込み板、５ｃ、６ｃ、７ｃ、８ｃ・・・収納部、１０・・・シンク、１２・・・カウンター、１３・・・パンチング板、１３ａ・・・通気孔、１４・・・空間、１８、１９・・・整流板、２０・・・通気孔、２２・・・蛇腹、２３・・・送風空間、２４ａ、２４ｂ・・・弁、２５・・・キャビネット、２５ａ・・・支柱、２６・・空間、２６ａ・・・背面板、２６ｂ・・・底板、２７・・・引き出し、２７ａ・・・扉、２７ｃ・・・収納部、２８・・・パンチング板、２８ａ・・・通気孔、２９・・・囲い。
【図１】
2006191996.tif 000003
【図２】
2006191996.tif 000004
【図３】
2006191996.tif 000005
【図４】
2006191996.tif 000006
【図５】
2006191996.tif 000007
【図６】
2006191996.tif 000008